(57)【特許請求の範囲】
【請求項１】
微生物分解槽と、前記微生物分解槽の温度を調整するヒータと、ヒータの通電を制御する制御装置とを備え、前記制御装置は微生物分解槽の温度を１日の間で複数段階に変化させ、一つの設定温度を連続６時間以上維持するように制御する生ゴミ処理装置。
【請求項２】
制御装置は、微生物分解槽の温度設定を最低温度と最高温度との差が１０度以上となるように制御する請求項１記載の生ゴミ処理装置。
【請求項３】
制御装置は、微生物分解槽の最高温度を５０℃以上に最低温度を４０℃以下に制御する請求項１記載の生ゴミ処理装置。
【発明の詳細な説明】
【０００１】
【発明の属する技術分野】
本発明は、生ゴミを処理する生ゴミ処理装置に関するものである。
【０００２】
【従来の技術】
従来、家庭の厨房で発生する生ゴミはディスポーザを使用して粉砕し、水とともにそのまま下水へ流すような処理をしているものである。ディスポーザは厨房の流しの排水口に設けているものであり、生ゴミの発生場所と処理する場所とが非常に近接しているものである。従って、発生した生ゴミを運搬する必要は全く無く、また処理物は下水へと流れてしまうので、その後のメンテナンスに気を配る必要もないものである。
【０００３】
前記ディスポーザとは別に、発生した生ゴミを焼却したり乾燥して減量化するものや、大鋸屑などと混合して微生物分解して減量化するもの等がある。これらの装置は屋外に設置して使用するものがほとんどで、湿潤した生ゴミを装置までわざわざ運搬しなければならない。また、焼却や乾燥処理するものは、その処理中に特有の臭いを発し、非常に不快である。さらに処理残渣が残って、これを廃棄するなどの始末をしなければならない。大鋸屑と混合して微生物分解するものも、特有の臭いを発するものである。また、装置が大きく、数カ月毎に大鋸屑を交換するなどのメンテナンスを必要とするものである。このようにディスポーザ以外の機器は非常に使い勝手の悪いものである。
【０００４】
それにも関わらずディスポーザは、日本においてほとんど普及していないものである。この理由は、ディスポーザを使用した場合は、粉砕された生ゴミによって排水の水質が著しく悪くなり、下水処理場に負担をかけるか、下水の完備されていないところでは、河川の水質を汚濁してしまうためである。現在、多くの自治体、特に大都市ではディスポーザの使用、販売を禁止している。
【０００５】
【発明が解決しようとする課題】
従来使用されているディスポーザは、粉砕された生ゴミによって排水の水質が著しく悪くなり、下水処理場に負担をかけるか、下水の完備されていないところでは、河川の水質を汚濁してしまうという課題を有している。
【０００６】
【課題を解決するための手段】
本発明は、微生物分解槽の温度を１日の間で複数段階に変化させ、一つの設定温度を連続６時間以上維持するように制御することによって、複数種類の微生物によって生ゴミを効率的に分解して、水質汚濁を防止できる生ゴミ処理装置としている。
【０００７】
【発明の実施の形態】
請求項１に記載した発明は、微生物分解槽の温度を１日の間で複数段階に変化させ、一つの設定温度を連続６時間以上維持するように制御することによって、複数種類の微生物が最も高い活性状態で生ゴミを効率的に分解して、水質汚濁を防止できる生ゴミ処理装置としている。
【０００８】
請求項２に記載した発明は、制御装置は、微生物分解槽の温度設定を最低温度と最高温度との差が１０度以上となるように制御して、複数種類の微生物が最も高い活性状態で生ゴミを効率的に分解して、水質汚濁を防止できる生ゴミ処理装置としている。
【０００９】
請求項３に記載した発明は、制御装置は、微生物分解槽の最高温度を５０℃以上に最低温度を４０℃以下に制御するようにして、複数種類の微生物が最も高い活性状態で生ゴミを効率的に分解して、水質汚濁を防止できる生ゴミ処理装置としている。
【００１０】
【実施例】
以下、本発明の実施例について説明する。図１は本実施例の構成を示す断面図である。１は、例えば大鋸屑や微生物濾床と、例えばディスポーザによって破砕した厨芥とを収容しており、収容している厨芥を微生物によって分解する微生物分解槽である。微生物分解槽１の温度は、ヒータ２によって自由に制御されている。制御装置３は、前記ヒータ２の通電を内蔵している制御プログラムによって制御している。
【００１１】
以下、本実施例の動作について説明する。微生物分解槽１に収容している生ゴミは、糖類、たんぱく質、脂肪等の多様な有機物を有している。また、それぞれの有機物も多様な組成を有しているものである。このような有機物を分解する微生物は、さらに多様なものである。生ゴミを微生物分解すると、一般に数百種類もの微生物が発生すると言われている。
【００１２】
このような微生物群は、その至適温度が異なることが普通である。すなわち、微生物の活性が増加して有機物を効果的に分解する温度は、微生物の種類によって異なるものである。また、一方微生物によって、分解に適した有機物の種類も異なるものである。つまり、あるものはでんぷんを好んで分解し、あるものはたんぱく質を早く分解するものである。
【００１３】
本実施例では、制御装置３は、微生物分解槽１の温度が図２に示している特性となるようにヒータ２の通電を制御しているものである。図２は、本実施例の制御装置が有している制御プログラムを示す特性図である。すなわち、微生物分解槽１の温度を複数段階に変化させることによって、さまざまな微生物があらゆる温度帯で活性が高くなってさまざまな組成の有機物を効果的に分解するものである。すなわち、本実施例の制御装置３は、微生物分解槽１の温度を１日の間で複数段階に変化させるように制御している。本実施例では、午前６時より徐々に微生物分解槽１の温度をヒータ２の通電を制御して上昇させ、午前９時には微生物分解槽１の温度を５５℃まで上げる。５５℃という温度は、かなり特殊な環境であるため、出現する微生物の種類は特殊なものが多いものである。これらの微生物は、分解しにくいとされる有機物も容易に分解できるものである。
【００１４】
この５５℃という温度を午後６時までキープする。つまり９時間の間キープしているものである。この９時間の間に、前記微生物群はその活性を上げていき、効率的に有機物を分解していく。実際には６時間あれば有効であるが、その高い活性は６時間が経過しても維持される場合が多いものである。しかし１０時間を超えると、前記微生物群が摂取しやすい有機物の絶対量が減少してしまったり、微生物群が排出する代謝物で自らその活性を低下するものである。このため、本実施例では前記した９時間の設定にしているものである。
【００１５】
この後、制御装置３は、ヒータ２の通電を停止するなどして、微生物分解槽１の温度を午後９時には３５℃にまで下げる。この３５℃は通常環境温度であって、この温度帯は多くの微生物にとって最も快適な状態となっているものである。従って、この温度では種々の微生物群が出現して更に有機物を分解するものである。本実施例では、この３５℃を９時間キープするようにしている。この９時間の間に、新たな微生物群は活性を上げていき、５５℃では分解されなかった有機物と、５５℃の環境下での微生物が排出した代謝物を分解する。この分解は、６時間あれば有効であるが、実際には６時間が経過しても維持される場合が多いものである。しかし１０時間を超えると、前記微生物群が摂取しやすい有機物の絶対量が減少してしまったり、微生物群が排出する代謝物で自らその活性を低下するものである。このため、本実施例では前記した９時間の設定にしているものである。
【００１６】
こうして２４時間が経過した後は、この温度パターンを繰り返すように制御しているものである。
【００１７】
このようにして、微生物分解槽１の厨芥が十分に微生物分解されれば、分解された後の液体には有機物が存在しないものである。従って適切な方法で、微生物分解槽１の液体を河川あるいは下水に放流するものである。この時点では、前記しているように、微生物分解槽１の厨芥が十分に微生物分解されており、分解された後の液体には有機物が存在しないため、河川や下水の水質に影響を与えることはないものである。
【００１８】
以上のように本実施例によれば、微生物分解槽１と、微生物分解槽１の温度を調整するヒータ２と、ヒータ２の通電を制御する制御装置３とを備え、制御装置３は微生物分解槽１の温度を１日の間で複数段階に変化させるように制御する構成として、複数種類の微生物によって生ゴミを効率的に分解して、水質汚濁を防止できる生ゴミ処理装置を実現するものである。
【００１９】
また本実施例では、制御装置１は、微生物分解槽１の温度設定を最低温度と最高温度との差が１０度以上となるように制御しているものである。このため、生ゴミを分解する微生物が確実に複数種類となって、生ゴミを効率的に分解して、水質汚濁を防止できる生ゴミ処理装置を実現するものである。
【００２０】
また本実施例では、制御装置３は、微生物分解槽１の最高温度を５０℃以上に、最低温度を４０℃以下に制御しているものである。このため、生ゴミを分解する微生物が確実に複数種類となって、生ゴミを効率的に分解して、水質汚濁を防止できる生ゴミ処理装置を実現するものである。
【００２１】
また本実施例では、制御装置３は、一つの設定温度を連続６時間以上維持するように制御しているものである。このため、出現する微生物群がもっとも高い活性状態で生ゴミを効率的に分解でき、水質汚濁を防止できる生ゴミ処理装置を実現するものである。
【００２２】
【発明の効果】
請求項１に記載した発明は、微生物分解槽と、前記微生物分解槽の温度を調整するヒータと、ヒータの通電を制御する制御装置とを備え、前記制御装置は微生物分解槽の温度を１日の間で複数段階に変化させ、一つの設定温度を連続６時間以上維持するように制御する構成として、複数種類の微生物が最も高い活性状態で生ゴミを効率的に分解して、水質汚濁を防止できる生ゴミ処理装置を実現するものである。
【００２３】
請求項２に記載した発明は、制御装置は、微生物分解槽の温度設定を最低温度と最高温度との差が１０度以上となるように制御する構成として、複数種類の微生物が最も高い活性状態で生ゴミを効率的に分解して、水質汚濁を防止できる生ゴミ処理装置を実現するものである。
【００２４】
請求項３に記載した発明は、制御装置は、微生物分解槽の最高温度を５０℃以上に最低温度を４０℃以下に制御する構成として、複数種類の微生物が最も高い活性状態で生ゴミを効率的に分解して、水質汚濁を防止できる生ゴミ処理装置を実現するものである。
【図面の簡単な説明】
【図１】本発明の実施例である生ゴミ処理装置の構成を示す断面図
【図２】同、制御装置が有している制御プログラムを示す特性図
【符号の説明】
１  微生物分解槽
２  ヒータ
３  制御装置
【図１】
0003589130.tif 000002
【図２】
0003589130.tif 000003